(57)【要約】【課題】コストアップや重量増加を最小限に抑えつつ、車両の側面衝突時のピラーの車室内側への変形を抑制することができる車体のピラー構造を提供すること。【解決手段】アウタパネル７とインナパネル６によって閉断面構造を構成して略上下方向に沿って延在るセンターピラー１を備えた車体のピラー構造として、前記センターピラー１のインナパネル６の少なくとも開口部１１の周囲を含む一部に補強部材１５を接合する構成を採用する。又、前記補強部材１５を車両上下方向から見た断面形状が略Ｌ字状に構成し、該補強部材１５をインナパネル６の開口部１１の周囲と車幅方向に略平行な面の縦壁部１８に接合する。更に、前記補強部材１５を前記インナパネル７の開口部１１の車両後方の車幅方向外側の面（ピラー閉断面の内面側）に接合する。【選択図】図５
2010234962.tif 000002
【特許請求の範囲】
【請求項１】
アウタパネルとインナパネルによって閉断面構造を構成して略上下方向に沿って延在するピラーを備えた車体のピラー構造であって、
前記ピラーのインナパネルの少なくとも開口部周囲を含む一部に補強部材を接合したことを特徴とする車体のピラー構造。
【請求項２】
前記補強部材を車両上下方向から見た断面形状が略Ｌ字状に構成し、該補強部材をインナパネルの開口部周囲と車幅方向に略平行な面の縦壁部に接合したことを特徴とする請求項１記載の車体のピラー構造。
【請求項３】
前記補強部材を前記インナパネルの車幅方向外側の面に接合したことを特徴とする請求項１又は２記載の車体のピラー構造。
【請求項４】
前記補強部材を前記インナパネルの開口部の車両前方又は後方の何れか一方に接合したことを特徴とする請求項１〜３の何れかに記載の車体のピラー構造。
【請求項５】
前記補強部材を前記インナパネルの開口部に対して車両前後方向においてフロアクロスメンバから遠い側に接合したことを特徴とする請求項１〜４の何れかに記載の車体のピラー構造。
【発明の詳細な説明】
【技術分野】
【０００１】
本発明は、略上下方向に沿って延在するピラーを備えた車体のピラー構造に関するものである。
【背景技術】
【０００２】
車体の側部には車両前方側から順にフロントピラー、センターピラー、リヤピラーが配設されているが、センターピラーの下部にはシートベルトを巻き取るためのシートベルトリトラクタが内蔵されている。
【０００３】
ところで、近年、種々の安全装置を付加したシートベルトリトラクタが大型化する傾向にあり、これに伴ってシートベルトリトラクタを内蔵するセンターピラーに形成される開口部も大きくなる傾向にある。
【０００４】
他方、後席の乗員の乗降性を高めるためにはリヤドア開口部に大きな開口面積を確保する必要があり、リヤドア開口部の開口面積を大きくすると、センターピラーの開口部縁とリヤドア開口部縁間の幅が狭くなってしまい、その部分の強度が弱くなって開口部上部との強度差が大きくなる。このため、車両の側面衝突時に側方から衝撃荷重がセンターピラーに加わると、該センターピラーの強度の弱い開口部周囲の車室内側への変形量が大きくなるという問題がある。
【０００５】
又、一般的にリヤドアを支持するためのリヤドアヒンジはセンターピラーの車両後方側に取り付けられるため、車両の側面衝突時のセンターピラー下部の車室内側への変形量（侵入量）は車両後方側が特に大きくなる傾向にある。
【０００６】
ところで、特許文献１には、センターピラーのインナパネルやインナ補強部材に高張力鋼材料を使用し、車両の側面衝突時のセンターピラーの全体的な変形を抑制する提案がなされている。
【先行技術文献】
【特許文献】
【０００７】
【特許文献１】特開２００２−１２０７５８号公報
【発明の概要】
【発明が解決しようとする課題】
【０００８】
しかしながら、特許文献１において提案されたようにセンターピラーのインナパネルやインナ補強部材に高張力鋼材料を使用すると、センターピラーのインナパネルの成形性が悪化する他、材料費や加工費が増加するという問題が発生する。
【０００９】
車両の側面衝突時のセンターピラーの変形を小さく抑えるには、インナパネルの板厚を増やして強度を上げる方法が考えられるが、インナパネルの板厚を増やすと、必要でない箇所まで補強することとなって重量やコストが余分に増加するという問題が発生する。
【００１０】
又、重量増加を招くことなく材料強度を上げることによってセンターピラーの強度を高める方法も考えられるが、複雑な形状を有するインナパネルに強度の高い材料を用いると、その加工が困難であるという問題が発生する。
【００１１】
本発明は上記問題に鑑みてなされたもので、その目的とする処は、コストアップや重量増加を最小限に抑えつつ、車両の側面衝突時のピラーの車室内側への変形を抑制することができる車体のピラー構造を提供することにある。
【課題を解決するための手段】
【００１２】
上記目的を達成するため、請求項１記載の発明は、アウタパネルとインナパネルによって閉断面構造を構成して略上下方向に沿って延在するピラーを備えた車体のピラー構造として、前記ピラーのインナパネルの少なくとも開口部周囲を含む一部に補強部材を接合したことを特徴とする。
【００１３】
請求項２記載の発明は、請求項１記載の発明において、前記補強部材を車両上下方向から見た断面形状が略Ｌ字状に構成し、該補強部材をインナパネルの開口部周囲と車幅方向に略平行な面の縦壁部に接合したことを特徴とする。
【００１４】
請求項３記載の発明は、請求項１又は２記載の発明において、前記補強部材を前記インナパネルの車幅方向外側の面に接合したことを特徴とする。
【００１５】
請求項４記載の発明は、請求項１〜３の何れかに記載の発明において、前記補強部材を前記インナパネルの開口部の車両前方又は後方の何れか一方に接合したことを特徴とする。
【００１６】
請求項５記載の発明は、請求項１〜４の何れかに記載の発明において、前記補強部材を前記インナパネルの開口部に対して車両前後方向においてフロアクロスメンバから遠い側に接合したことを特徴とする。
【発明の効果】
【００１７】
請求項１記載の発明によれば、ピラーのインナパネルの開口部周囲には車両の側面衝突時に大きな応力が集中するが、少なくともこの部分を補強部材によって補強したため、ピラーの車室内側への変形を抑制することができる。この場合、インナパネルの応力が集中する部分のみを補強部材によって部分的に補強するため、コストアップや重量増加を最小限に抑えることができる。
【００１８】
請求項２記載の発明によれば、平車両上下方向から見た断面形状が略Ｌ字状の補強部材をインナパネルの開口部周囲と車幅方向に略平行な面の縦壁部に接合したため、車両の側面衝突時にピラーに側方から入力される衝撃荷重に対する抗力を高めることができ、ピラーの車室内側への変形を一層効果的に抑制することができる。
【００１９】
請求項３記載の発明によれば、補強部材をインナパネルの車幅方向外側の面に接合したため、ドア開口フランジ部をスポット溶接する際に補強部材と溶接ガンとの干渉を考慮してピラーの閉断面積を減少させる必要がなく、インナパネルの車幅方向に略平行な面の縦壁部を溶接ガンに近づけてインナパネルの車両上下方向から見た断面形状をピラーの閉断面積が最大となるよう設定することができ、ピラーの強度と剛性を高めることができる。
【００２０】
請求項４記載の発明によれば、補強部材をインナパネルの開口部の車両前方又は後方の何れか一方（具体的には、側面衝突時の車室内側への変形量が大きい側）のみに接合したため、コストアップや重量増加を最小限に抑えつつ、車両の側面衝突時のピラーの車室内側への変形を抑制することができる。
【００２１】
請求項５記載の発明によれば、補強部材をインナパネルの開口部に対して車両前後方向においてフロアクロスメンバから遠い側に接合した（遠い側が補強されている）ため、車両の側面衝突時にピラーに入力される衝撃荷重がフロアクロスメンバへと効率良く伝達され、衝撃荷重によるピラーの車室内側への変形が小さく抑えられる。
【図面の簡単な説明】
【００２２】
【図１】本発明に係るピラー構造を備えた車両のセンターピラー部分を車室内側から見た斜視図である。
【図２】図１のＡ部拡大詳細図である。
【図３】シートベルトリトラクタを組み込んだ状態を示すセンターピラー下部を車室内側から見た側面図である。
【図４】図３のＢ−Ｂ線断面図である。
【図５】図３のＣ−Ｃ線断面図である。
【発明を実施するための形態】
【００２３】
以下に本発明の実施の形態を添付図面に基づいて説明する。
【００２４】
図１は本発明に係るピラー構造を備えた車両のセンターピラー部分を車室内側から見た斜視図、図２は図１のＡ部拡大詳細図、図３はシートベルトリトラクタを組み込んだ状態を示すセンターピラー下部を車室内側から見た側面図、図４は図３のＢ−Ｂ線断面図、図５は図３のＣ−Ｃ線断面図である。
【００２５】
図１に示すように、車体の側部の車体前後方向中央部には略上下方向に延在するセンターピラー１が配設されている。尚、図１には一方（右側）のセンターピラー１のみを示しているが、他方（左側）にも同様のセンターピラー１が配設されている。
【００２６】
上記センターピラー１は、その上端部がルーフサイドレール２に結合され、下端部がサイドシル３に結合されており、その車両前方にはフロントドア開口部４が形成され、車両後方にはリヤドア開口部５が形成されている。尚、フロントドア開口部４とリヤドア開口部５は、不図示のフロントドアとリヤドアによってそれぞれ開閉される。又、車室内の床面には車幅方向に延在するフロアクロスメンバ１６が、車両前後方向でセンターピラー１の中央より前方側に配設されている。そして、フロアクロスメンバ１６の車幅方向外側の端部がサイドシル３に結合されている。
【００２７】
而して、センターピラー１は、略上下方向に延在する閉断面構造の車体骨格部材であって、図５に示すように、車幅方向内側に配置されたインナパネル６と車幅方向外側に配置されたアウタパネル７によって閉断面構造を構成しており、その内部には、アウタパネル７の内面に沿うリヤドアヒンジリーンフォースメント８とこれの内面に接合されたセンターピラーリーンフォースメント９が収容されている。ここで、インナパネル６は、車両上下方向から見た断面形状が、車幅方向外側に向かって開口するコの字状の部材で構成され、アウタパネル７とリヤドアヒンジリーンフォースメント８及びセンターピラーリーンフォースメント９は、車両上下方向から見た断面形状が、車幅方向内側に向かって開口するコの字状の部材で構成されている。
【００２８】
そして、センターピラー１は、インナパネル６とアウタパネル７及びリヤドアヒンジリーンフォースメント８の車両前後に形成されたフランジ６ａ，７ａ，８ａ同士を重ね合わせ、これらのフランジ６ａ，７ａ，８ａをスポット溶接することによって閉断面構造として構成されている。尚、センターピラーリーンフォースメント９は、リヤドアヒンジリーンフォースメント８の内面に部分的に接合されている。
【００２９】
ところで、センターピラー１のインナパネル６の下部には、図３及び図５に示すシートベルトリトラクタ１０を組み込むための矩形の開口部１１が形成されており、図５に示すように、アウタパネル７とリヤドアヒンジリーンフォースメント８及びセンターピラーリーンフォースメント９の側面視で開口部１１と重なる部分の車両後方側には、不図示のリヤドアを支持するためのリヤドアヒンジ１２が２本のボルト１３とこれらに螺着されたナット１４によって取り付けられている。そして、インナパネル６の車幅方向外側の面であって、開口部１１の車両後方側（リヤドアヒンジ１２が取り付けられた側）の周囲とそれよりも上方の車両前後方向に平行な面とそれらに隣接する車幅方向に略平行な面の縦壁部１８には、インナパネル６の内面形状に沿った、車両上下方向から見た断面形状が略Ｌ字状の補強部材１５が、複数箇所（図２及び図４に＊にて示す箇所）をスポット溶接することによって接合され、その部分が補強部材１５によって補強されている。又、図１に示すように、補強部材１５はインナパネル６の開口部１１に対して車両前後方向においてフロアクロスメンバ１６から遠い側に接合されている。
【００３０】
而して、前記シートベルトリトラクタ１０は、不図示のシートベルトを巻き取る装置であって、これには種々の安全装置が付加されるために大型化する傾向にあり、これに伴ってシートベルトリトラクタ１０を内蔵するセンターピラー１に形成される開口部１１も大きくなる傾向にある。
【００３１】
他方、後席の乗員の乗降性を高めるためにはリヤドア開口部５に大きな開口面積を確保する必要があり、リヤドア開口部５の開口面積を大きくすると、センターピラー１の開口部１１の周縁とリヤドア開口部５の周縁間の幅Ｗ（図３及び図５参照）が狭くなってしまい、その部分の強度が弱くなってセンターピラー１の開口部１１の上部との強度差が大きくなる。このため、車両の側面衝突時にセンターピラー１に図１に示す衝撃荷重Ｆが側方から加わった場合には、インナパネル６の強度の弱い開口部１１の周囲の車室内側への変形量が大きくなる。
【００３２】
又、リヤドアを支持するためのリヤドアヒンジ１２はセンターピラー１の車両後方側に取り付けられるため、車両の側面衝突時のセンターピラー１下部の車室内側への変形量（侵入量）は車両後方側が特に大きくなる傾向にある。
【００３３】
即ち、センターピラー１においては、インナパネル６の開口部１１の周囲の車両後方側には車両の側面衝突時に大きな応力が集中するため、その部分の車室内側への変形量（侵入量）が大きくなるが、本実施の形態では、強度が弱くて変形量の大きな部分を補強部材１５によって補強したため、側面衝突時のセンターピラー１の車室内側への変形を抑制することができる。この場合、本実施の形態では、センターピラー１において補強部材１５をインナパネル６の開口部１１の車両後方（具体的には、側面衝突時の車室内側への変形量が大きい側）のみに接合したため、コストアップや重量増加を最小限に抑えつつ、車両の側面衝突時のセンターピラー１の車室内側への変形を抑制することができる。
【００３４】
又、本実施の形態では、車両上下方向から見た断面形状が略Ｌ字状の補強部材１５をインナパネル６の開口部１１の周囲と車幅方向に略平行な面の縦壁部１８に接合したため、車両の側面衝突時にセンターピラー１に側方から入力される衝撃荷重Ｆに対する抗力を高めることができ、センターピラー１の車室内側への変形を一層効果的に抑制することができる。
【００３５】
更に、本実施の形態では、補強部材１５をセンターピラー１のインナパネル６の車幅方向外側の面（ピラー閉断面の内面側）に接合したため、図４に示すように、リヤドア開口部５に臨むフランジ６ａを溶接ガン１７によってスポット溶接する際に補強部材１５と溶接ガン１７との干渉を考慮してセンターピラー１の閉断面積を減少させる必要がなく（逆に、補強部材１５をインナパネル６の車幅方向内側の面であるピラー閉断面の外面側に接合した場合は、インナパネル６の車両上下方向から見た断面形状を補強部材１５の板厚分小さくする必要がある。）、インナパネル６の車幅方向に略平行な面の縦壁部１８を溶接ガン１７に近づけてインナパネル６の車両上下方向から見た断面形状をセンターピラー１の閉断面積が最大となるよう設定することができ、センターピラー１の強度と剛性を高めることができる。この結果、車両の側面衝突時のセンターピラー１の車室内側への変形を一層効果的に抑制することができる。
【００３６】
又、本実施の形態では、図１に示すように補強部材１５をインナパネル６の開口部１１に対して車両前後方向においてフロアクロスメンバ１６から遠い側に接合したため（遠い側が補強されているため）、車両の側面衝突時にセンターピラー１に入力される衝撃荷重Ｆはセンターピラー１からフロアクロスメンバ１６へと効率良く伝達され、衝撃荷重Ｆによるセンターピラー１の車室内側への変形が小さく抑えられる。
【００３７】
尚、本実施の形態では、センターピラー１のインナパネル６の開口部１１よりも車両後方側のみに補強部材１５を接合したが、センターピラー１に側方から入力される衝撃荷重Ｆが大きい場合には開口部１１の車両前方部分にも補強部材１５を接合するようにしても良い。
【００３８】
又、補強部材１５はセンターピラー１に形成されたシートベルトリトラクタ１０用の開口部１１の周囲のみならず、センターピラー１において断面強度が急激に或は不連続に変化する部位の周囲、例えばドアヒンジ取付用孔やドアハーネル取付用孔の周囲に補強部材１５を接合してそれらの部分を補強するようにしても良い。
【００３９】
更に、以上は本発明をセンターピラー１に対して適用した形態について説明したが、本発明は、フロントピラーやリヤピラーに対しても同様に適用可能であることは勿論である。
【符号の説明】
【００４０】
１      センターピラー
２      ルーフサイドレール
３      サイドシル
４      フロントドア開口部
５      リヤドア開口部
６      インナパネル
６ａ    インナパネルのフランジ
７      アウタパネル
７ａ    アウタパネルのフランジ
８      リヤドアヒンジリーンフォースメント
８ａ    リヤドアヒンジリーンフォースメントのフランジ
９      センターピラーリーンフォースメント
１０    シートベルトリトラクタ
１１    センターピラーの開口部
１２    リヤドアヒンジ
１３    ボルト
１４    ナット
１５    補強部材
１６    フロアクロスメンバ
１７    溶接ガン
１８    縦壁部
Ｆ      衝撃荷重
【図１】
2010234962.tif 000003
【図２】
2010234962.tif 000004
【図３】
2010234962.tif 000005
【図４】
2010234962.tif 000006
【図５】
2010234962.tif 000007